(57)【要約】【課題】本発明は、媒体と照射部との隙間に配置されている透過部材が照射部に対し移動しない場合に比べて、透過部材における隙間に配置されている部分に付着する付着物の量が少ない照射装置の提供を目的とする。【解決手段】照射装置は、液滴を吐出する吐出部に対し相対移動する媒体の移動方向における前記吐出部よりも下流側で前記媒体に隙間をあけて配置され、前記吐出部に吐出され前記媒体に着弾した液滴に光を照射する照射部と、帯状で、光を透過させ、前記照射部に対し前記隙間を移動する透過部材と、を備えている。【選択図】図１
2017226175.tif 000002
【特許請求の範囲】
【請求項１】
液滴を吐出する吐出部に対し相対移動する媒体の移動方向における前記吐出部よりも下流側で前記媒体に隙間をあけて配置され、前記吐出部に吐出され前記媒体に着弾した液滴に光を照射する照射部と、
帯状で、光を透過させ、前記照射部に対し前記隙間を移動する透過部材と、
を備えた照射装置。
【請求項２】
軸周りに回転可能とされ、外周に前記透過部材が巻かれた第１回転体と、
軸周りに回転し、前記第１回転体を回転させて引き出された前記透過部材を巻き取る第２回転体と、
を備えた請求項１に記載の照射装置。
【請求項３】
前記照射部は、前記移動方向に沿って複数個配置されており、
前記第１回転体及び前記第２回転体の一方は、すべての前記照射部のうち前記移動方向の最上流の照射部よりも上流側に配置され、
前記第１回転体及び前記第２回転体の他方は、すべての前記照射部のうち前記移動方向の最下流の照射部よりも下流側に配置され、
前記第２回転体は、すべての前記照射部により形成される前記隙間を移動した前記透過部材を巻き取る、
請求項２に記載の照射装置。
【請求項４】
前記透過部材は、無端状とされており、
前記透過部材を周回させる周回部と、
前記透過部材の外周に接触し、該外周に付着した付着物を除去する除去部と、
を備えた請求項１に記載の照射装置。
【請求項５】
前記照射部は、前記移動方向に沿って複数個配置されており、
前記周回部は、すべての前記照射部により形成される前記隙間を周回経路の一部として前記透過部材を周回させる、
請求項４に記載の照射装置。
【請求項６】
請求項１〜４の何れか１項に記載の照射装置と、
前記照射部よりも前記移動方向上流側に配置され、前記媒体に液滴を吐出する吐出部と、
を備えた液滴吐出装置。
【発明の詳細な説明】
【技術分野】
【０００１】
本発明は、照射装置及び液滴吐出装置に関する。
【背景技術】
【０００２】
特許文献１には、記録ヘッドから液滴を吐出することで画像が記録可能な記録媒体の搬送路に対峙され、前記記録媒体上の液滴に含まれる水分を蒸発させる熱源となるレーザ光を照射する照射部と、予め定めた透過率で前記レーザ光を透過すると共に、前記蒸発した水分が前記照射部へ至ることを制限する制限部材と、前記制限部材を加熱して、当該制限部材への結露を防止する結露防止手段と、を有する乾燥装置が開示されている。
【先行技術文献】
【特許文献】
【０００３】
【特許文献１】特開２０１５−１４７３４７号公報
【発明の概要】
【発明が解決しようとする課題】
【０００４】
本発明は、媒体と照射部との隙間に配置されている透過部材が照射部に対し移動しない場合に比べて、透過部材における隙間に配置されている部分に付着する付着物の量が少ない照射装置の提供を目的とする。
【課題を解決するための手段】
【０００５】
請求項１に記載の照射装置は、液滴を吐出する吐出部に対し相対移動する媒体の移動方向における前記吐出部よりも下流側で前記媒体に隙間をあけて配置され、前記吐出部に吐出され前記媒体に着弾した液滴に光を照射する照射部と、帯状で、光を透過させ、前記照射部に対し前記隙間を移動する透過部材と、を備えている。
【０００６】
請求項２に記載の照射装置は、請求項１に記載の照射装置であって、軸周りに回転可能とされ、外周に前記透過部材が巻かれた第１回転体と、軸周りに回転し、前記第１回転体を回転させて引き出された前記透過部材を巻き取る第２回転体と、を備えている。
【０００７】
請求項３に記載の照射装置は、請求項２に記載の照射装置であって、前記照射部は、前記移動方向に沿って複数個配置されており、前記第１回転体及び前記第２回転体の一方は、すべての前記照射部のうち前記移動方向の最上流の照射部よりも上流側に配置され、前記第１回転体及び前記第２回転体の他方は、すべての前記照射部のうち前記移動方向の最下流の照射部よりも下流側に配置され、前記第２回転体は、すべての前記照射部により形成される前記隙間を移動した前記透過部材を巻き取る。  
【０００８】
請求項４に記載の照射装置は、請求項１に記載の照射装置であって、前記透過部材は、無端状とされており、前記透過部材を周回させる周回部と、前記透過部材の外周に接触し、該外周に付着した付着物を除去する除去部と、を備えている。
【０００９】
請求項５に記載の照射装置は、請求項４に記載の照射装置であって、前記照射部は、前記移動方向に沿って複数個配置されており、前記周回部は、すべての前記照射部により形成される前記隙間を周回経路の一部として前記透過部材を周回させる。
【００１０】
請求項６に記載の液滴吐出装置は、請求項１〜４の何れか１項に記載の照射装置と、前記照射部よりも移動方向上流側に配置され、前記媒体に液滴を吐出する吐出部と、を備えている。
【発明の効果】
【００１１】
請求項１に記載の照射装置によれば、媒体と照射部との隙間に配置されている透過部材が照射部に対し移動しない場合に比べて、透過部材における隙間に配置されている部分に付着する付着物の量が少ない。
【００１２】
請求項２に記載の照射装置によれば、透過部材における隙間に位置する部分が新しい。
【００１３】
請求項３に記載の照射装置によれば、各照射部における媒体の移動方向上流側及び下流側に第１回転体及び第２回転体を配置している場合に比べて、部品点数が少ない。
【００１４】
請求項４に記載の照射装置によれば、媒体と照射部との隙間を移動した透過部材を周回させずに巻き取る場合に比べて、装置寿命が長い。
【００１５】
請求項５に記載の照射装置によれば、各照射部に対して各透過部材を周回させる場合に比べて、部品点数が少ない。
【００１６】
請求項６に記載の液滴吐出装置によれば、媒体と照射部との隙間に配置されている透過部材が移動しない場合に比べて、光の透過不良が抑制される。
【図面の簡単な説明】
【００１７】
【図１】第１実施形態の液滴吐出装置の概略図（正面図）である。
【図２】第２実施形態の液滴吐出装置の概略図（正面図）である。
【図３】第１変形例の液滴吐出装置の概略図（正面図）である。
【図４】第２変形例の液滴吐出装置の概略図（正面図）である。
【図５】第３変形例の液滴吐出装置の概略図（正面図）である。
【図６】第４変形例の液滴吐出装置の概略図（正面図）である。
【発明を実施するための形態】
【００１８】
≪概要≫
発明を実施するための形態（実施形態）について、２つの実施形態（第１及び第２実施形態）を例示して説明する。
【００１９】
≪第１実施形態≫
第１実施形態について図１を参照しつつ説明する。まず、本実施形態の液滴吐出装置１０の構成について説明する。次いで、本実施形態の液滴吐出装置１０により画像形成動作について説明する。次いで、本実施形態の効果について説明する。なお、図１は、本実施形態の液滴吐出装置１０を正面側から見た図（正面図）である。
【００２０】
＜構成＞
本実施形態の液滴吐出装置１０は、媒体Ｐを搬送しながら、媒体Ｐにインクの液滴で構成される像（以下、インク像という。）を形成し、当該インク像（媒体Ｐに着弾したインクの液滴）に光を照射して、媒体Ｐに画像を形成するインクジェット方式の装置とされている。液滴吐出装置１０は、搬送部２０と、形成部３０と、制御部４０とを含んで構成されている。
【００２１】
［搬送部］
搬送部２０は、媒体Ｐを搬送経路に沿って搬送する機能を有する。図１の矢印Ａは、搬送部２０により搬送される媒体Ｐの搬送方向（移動方向）を意味する（以下、図２〜５の場合も同じ）。本実施形態では、搬送部２０は、媒体Ｐを液滴吐出装置１０の装置幅方向に沿って搬送するようになっている。なお、搬送部２０により搬送される媒体Ｐは、後述する吐出部３２Ｙ、３２Ｍ、３２Ｃ及び３２Ｋに対し相対移動するようになっている。
【００２２】
［形成部］
形成部３０は、媒体Ｐにインクの液滴で構成される像（以下、インク像という。）を形成し、当該インク像（媒体Ｐに着弾したインクの液滴）に光を照射して媒体Ｐに画像を形成する機能を有する。そのため、形成部３０は、搬送される媒体Ｐ（のおもて面）に対して対向して配置されている。形成部３０は、形成部３０Ｙと、形成部３０Ｍと、形成部３０Ｃと、形成部３０Ｋとを備えている。形成部３０Ｙ、３０Ｍ、３０Ｃ、３０Ｋは、それぞれ異なる色（一例として、Ｙ（イエロー）、Ｍ（マゼンタ）、Ｃ（シアン）、Ｋ（ブラック））のインク像を形成する点以外、同様の構成とされている。なお、形成部３０Ｙ、３０Ｍ、３０Ｃ、３０Ｋは、媒体Ｐの移動方向下流側から上流側に亘って、これらの記載順で並んでいる。
【００２３】
形成部３０Ｙ、３０Ｍ、３０Ｃ、３０Ｋは、それぞれ、吐出部３２Ｙ、３２Ｍ、３２Ｃ、３２Ｋと、照射装置３４Ｙ、３４Ｍ、３４Ｃ、３４Ｋとを含んで構成されている。以下、形成部３０Ｙ、３０Ｍ、３０Ｃ及び３０Ｋ、並びに、照射装置３４Ｙ、３４Ｍ、３４Ｃ、３４Ｋについて、それぞれ、特に区別する必要がなければ、色を表すアルファベット（Ｙ、Ｍ、Ｃ及びＫ）を省略する。
【００２４】
〔吐出部〕
各吐出部３２は、搬送部２０により搬送される媒体Ｐに各色のインクの液滴を吐出して、当該媒体Ｐに各色のインク像を形成する機能を有する。別の見方をすると、各吐出部３２は、自身に対して相対移動する媒体Ｐに各色のインクの液滴を吐出して、媒体Ｐに各色のインク像を構成する液滴を着弾させる機能を有する。
【００２５】
吐出部３２は、正面側から見ると矩形状で、装置奥行き方向に沿っている長尺の部材とされている。また、吐出部３２は、いわゆるラインヘッド（液滴を吐出するための複数のノズルが搬送される媒体Ｐの幅方向に沿って配列されているヘッドのことをいう。）とされている。なお、各吐出部３２が吐出する液滴を構成する各色のインクは、一例として、水を含む溶媒と、それぞれのインクの色を発色する顔料（又は染料）と、を含んで構成されている。
【００２６】
〔照射装置〕
各照射装置３４は、各吐出部３２により媒体Ｐに形成されたインク像に光を照射する機能を有する。別の見方をすると、各照射装置３４は、各吐出部３２により吐出され媒体Ｐに着弾した液滴に光を照射する機能を有する。照射装置３４Ｙ、３４Ｍ、３４Ｃ、３４Ｋは、それぞれ、照射部３６Ｙ、３６Ｍ、３６Ｃ、３６Ｋと、カバー部３８Ｙ、３８Ｍ、３８Ｃ、３８Ｋとを含んで構成されている。以下、照射部３６Ｙ、３６Ｍ、３６Ｃ及び３６Ｋ、並びに、カバー部３８Ｙ、３８Ｍ、３８Ｃ及び３８Ｋについて、それぞれ、特に区別する必要がなければ、色を表すアルファベット（Ｙ、Ｍ、Ｃ及びＫ）を省略する。
【００２７】
なお、本実施形態の場合、照射装置３４Ｙは、吐出部３２Ｙよりも媒体Ｐの移動方向下流側に配置されている。照射装置３４Ｍは、吐出部３２Ｍよりも媒体Ｐの移動方向下流側かつ吐出部３２Ｙよりも上流側に配置されている。照射装置３４Ｃは、吐出部３２Ｃよりも媒体Ｐの移動方向下流側かつ吐出部３２Ｍよりも上流側に配置されている。照射装置３４Ｋは、吐出部３２Ｋよりも媒体Ｐの移動方向下流側かつ吐出部３２Ｃよりも上流側に配置されている。
【００２８】
（照射部）      
照射部３６は、正面側から見ると矩形状で、装置奥行き方向に沿っている長尺の部材とされている。また、照射部３６は、媒体Ｐの幅方向における、各吐出部３２が液滴を吐出可能な全範囲（各吐出部３２により吐出された液滴が着弾可能な全範囲）に光を照射するようになっている。具体的に、各照射部３６は、搬送される媒体Ｐ、すなわち、媒体Ｐの移動経路に対して隙間Ｇをあけて配置され、媒体Ｐ（のおもて面）に、媒体Ｐに向く面３６Ａに設けられている光源（図示省略）から媒体Ｐの幅方向に沿う方向を長手方向とする矩形状の光を照射するようになっている。そして、照射部３６により媒体Ｐに着弾した液滴に光が照射されることで液滴を構成する溶媒が蒸発されて、液滴を構成する顔料（又は染料）が媒体Ｐに定着される（媒体Ｐに画像が形成される）ようになっている。
【００２９】
（カバー部）
各カバー部３８は、媒体Ｐの移動に伴って各照射部３６と媒体Ｐとの各隙間Ｇに流れ込む浮遊物の各照射部３６の光源への付着を抑制する機能を有する。ここで、浮遊物とは、各吐出部３２による液滴の吐出の際に発生するインクミスト、媒体Ｐから発生する紙粉その他の異物を意味する。
【００３０】
各カバー部３８は、帯状の透明ベルトＢＴと、第１ロール５０と、従動ロール５２、５４と、第２ロール５６と、駆動源５８とを含んで構成されている。ここで、透明ベルトＢＴは透過部材の一例、第１ロール５０は第１回転体の一例、第２ロール５６は第２回転体の一例である。各第１ロール５０、各従動ロール５２、５４、各第２ロール５６は、それぞれ、各自の軸方向を搬送される媒体Ｐの幅方向に沿わせた状態で液滴吐出装置１０の本体に位置決めされている。なお、各第１ロール５０、各従動ロール５２、５４、及び、各第２ロール５６の長さ、並びに、各透明ベルトＢＴの幅は、各照射部３６の幅（長手方向の長さ）よりも長く（広く）、それぞれ、各照射部３６の長手方向の両端からはみ出している。また、図１では、形成部３０Ｋを構成するカバー部３８Ｋ以外のカバー部３８において、カバー部３８の構成要素の符号を省略している。
【００３１】
各第１ロール５０は、各照射部３６よりも媒体Ｐの移動方向上流側かつ各照射部３６よりも上方側に配置されている。第１ロール５２は、その外周に透明ベルトＢＴが巻かれている。第１ロール５０は、軸周りに回転可能とされている。各従動ロール５２は、各照射部３６よりも媒体Ｐの移動方向上流側、各照射部３６よりも下方側、かつ、搬送される媒体Ｐよりも上方側に配置されている。各従動ロール５４は、各照射部３６よりも媒体Ｐの移動方向下流側、各照射部３６よりも下方側、かつ、搬送される媒体Ｐよりも上方側に配置されている。各従動ロール５２、５４は、それぞれの外周に透明ベルトＢＴが巻き掛けられている。各第２ロール５６は、各照射部３６よりも媒体Ｐの移動方向下流側かつ各照射部３６よりも上方側に配置されている。各第２ロール５６の外周には、透明ベルトＢＴの一端が固定されている。また、各第２ロール５６は、各駆動源５８により軸周りに回転するようになっている。
【００３２】
以上の構成により、各カバー部３８は、液滴吐出装置１０を正面側から見て、各透明ベルトＢＴを各照射部３６の周りにＵ字状の姿勢で維持したまま、各駆動源５８により各第２ロール５８を回転させることで、透明ベルトＢＴを移動させるようになっている。具体的には、第２ロール５８は、第１ロール５０から引き出された各透明ベルトＢＴを、各従動ロール５２、５４に巻き掛けることで各照射部３６に対し各隙間Ｇを移動させてから、巻き取るようになっている。なお、本実施形態のカバー部３８は、交換部品とされている。
【００３３】
以上のとおり、照射部３６は吐出部３２により吐出され媒体Ｐに着弾した液滴に光を照射する機能を有し、カバー部３８は媒体Ｐの移動に伴い隙間Ｇに流れ込む浮遊物の照射部３６の光源への付着を抑制する機能を有する。
【００３４】
［制御部］
制御部４０は、液滴吐出装置１０を構成する制御部４０以外の各部を制御する機能を有する。制御部４０の機能については、後述する液滴吐出装置１０による画像形成動作の説明の中で説明する。
【００３５】
以上が、本実施形態の液滴吐出装置１０の構成についての説明である。
【００３６】
＜画像形成動作＞
次に、本実施形態の液滴吐出装置１０による画像形成動作について、図１を参照しつつ説明する。
【００３７】
外部装置（図示省略）からジョブデータを受け取った制御部４０は、搬送部２０、形成部３０を作動させる。具体的に、制御部４０は、搬送部２０により媒体Ｐを搬送方向に沿って定められた速度で搬送させる。また、制御部４０は、媒体Ｐに各吐出部３２により各色で構成されるインク像を形成するタイミングに合わせて、各吐出部３２に各色の液滴を吐出させる。また、制御部４０は、各照射部３６により、各吐出部３２が吐出し媒体Ｐに着弾した液滴に光を照射させる。また、制御部４０は、各カバー部３８の駆動源により第２ロール５６を回転させ、第１ロール５０に巻かれている透明ベルトＢＴを引き出し、引き出した透明ベルトＢＴを第２ロール５６に巻き取らせる。以上より、各照射部３６が媒体Ｐに着弾している液滴に光を照射している期間、透明ベルトＢＴは各隙間Ｇを移動する。
【００３８】
そして、媒体Ｐが形成部３０Ｙを通過して、各色の液滴を構成する顔料（又は染料）が媒体Ｐに定着されると（媒体Ｐに画像が形成されると）、本実施形態の液滴吐出装置１０による画像形成動作が終了する。
【００３９】
以上が、本実施形態の液滴吐出装置１０による画像形成動作についての説明である。
【００４０】
＜効果＞
次に、本実施形態の効果について、本実施形態を以下に説明する各比較形態と比較しながら説明する。なお、各比較形態において本実施形態で用いた部品等を用いて説明する場合、図示しなくても、その部品の符号、名称等を使用する。
【００４１】
ここで、本実施形態の効果とは、照射装置３４が搬送される媒体Ｐと照射部３６との隙間Ｇを移動する透明ベルトＢＴを備えていることの効果である。本実施形態の効果については、本実施形態を後述する比較形態と比較して説明する。
【００４２】
比較形態の照射装置（図示省略）は、本実施形態のカバー部３８に換えて、隙間Ｇであって、高さ方向から見て照射部３６の全範囲に配置されている透明の板（透過部材）を備えている。そして、比較形態の透明の板は、比較形態の照射部３６（図示省略）に固定されている。比較形態は、上記の点以外は本実施形態と同様の構成とされている。
【００４３】
比較形態の液滴吐出装置を用いて画像形成動作を行うと、媒体Ｐの移動に伴って隙間Ｇに流れ込んだ浮遊物が透明の板に付着する。そして、照射部３６から照射されて、透明の板における浮遊物が付着した部分に到達した光は、浮遊物に散乱、反射等される。その結果、媒体Ｐにおける照射領域（各吐出部３２が液滴を吐出可能な全範囲）では、透明の板に付着した浮遊物に起因して、到達する光の量に差が生じる（光の透過不良が生じる）。これに伴い、媒体Ｐに着弾した液滴を構成する溶媒の一部の蒸発量が少なくなり、画像斑（画像形成不良）が生じる。特に、使用期間が長くなるほど、画像形成不良が顕著となる。
【００４４】
これに対して、本実施形態の照射装置３４は、搬送される媒体Ｐと照射部３６との隙間Ｇを移動する透明ベルトＢＴを備えている。そのため、隙間Ｇに配置される透明ベルトＢＴの部分は、第１ロール５０から引き出された新しい部分（まだ、隙間Ｇを移動していない部分）となる。また、隙間Ｇで透明ベルトＢＴに付着した浮遊物は、透明ベルトＢＴとともに移動して第２ロール５６に巻き取られる。
【００４５】
したがって、本実施形態の照射装置３４によれば、透明ベルトＢＴにおける隙間Ｇに配置されている部分が新しい（透明ベルトＢＴの移動に伴い新しく入れ替わる）。これに伴い、本実施形態の照射装置３４によれば、媒体Ｐと照射部３６との隙間Ｇに配置されている透過部材が照射部３６に対して移動しない場合に比べて、透明ベルトＢＴにおける隙間Ｇに配置されている部分に付着する付着物の量が少ない。また、本実施形態の液滴吐出装置１０によれば、媒体Ｐと照射部３６との隙間Ｇに配置されている透過部材が移動しない場合に比べて、光の透過不良が抑制される。
【００４６】
≪第２実施形態≫
次に、第２実施形態について図２を参照しつつ説明する。以下、本実施形態について第１実施形態と異なる部分について説明する。なお、本実施形態において第１実施形態で用いた部品等を用いて説明する場合、その部品の符号、名称等を使用する。
【００４７】
＜構成＞
本実施形態の液滴吐出装置１０Ａ（図２参照）は、第１実施形態の液滴吐出装置１０（図１参照）に対して、カバー部３８Ｋ１、３８Ｃ１、３８Ｍ１、３８Ｙ１の構成が異なる。具体的に、本実施形態の場合、透明ベルトＢＴ１が無端状とされている。ここで、透明ベルトＢＴ１は、透過部材の一例である。また、本実施形態の場合、第１ロール５０に換えて従動ロール５０Ａを、第２ロール５６に換えて駆動ロール５６Ａを備えている。そして、透明ベルトＢＴ１の内周には従動ロール５０Ａ、５２、５４、駆動ロール５６Ａが巻き掛けられており、透明ベルトＢＴ１は、駆動源５８による駆動ロール５６Ａの回転により、液滴吐出装置１０Ａを正面側から見て反時計周りに周回するようになっている。ここで、駆動ロール５６Ａは、周回部の一例である。また、本実施形態の照射装置３４（液滴吐出装置１０Ａ）は、透明ベルトＢＴ１を挟んで駆動ロール５６Ａの反対側において、透明ベルトＢＴ１の外周に接触し、透明ベルトＢＴ１の外周に付着した付着物を除去するブレードＢＬが備えられている。ここで、ブレードＢＬは、除去部の一例である。本実施形態は、上記の点以外は第１実施形態と同様の構成とされている。
【００４８】
＜画像形成動作＞
本実施形態の場合、画像形成動作時において、駆動源５８が駆動ロール５６Ａを回転させることに伴い、透明ベルトＢＴ１は、その外周に付着した浮遊物をブレードＢＬに掻き取らせながら周回する。そのため、隙間Ｇを照射部３６に対して移動した透明ベルトＢＴ１は、隙間Ｇを通過した後にブレードＢＬにより浮遊物を掻き取られて（外周の浮遊物の付着の状態がリセットされて）、再度隙間Ｇを通過する。本実施形態は、上記の点以外は第１実施形態の場合と同様に画像形成動作を行う。
【００４９】
＜効果＞
本実施形態の場合、第１実施形態の場合と異なり、透明ベルトＢＴ１は隙間Ｇで付着した浮遊物をブレードＢＬに掻き取らせながら周回する。本実施形態のカバー部３８Ｋ１、３８Ｃ１、３８Ｍ１、３８Ｙ１（、照射装置３４）は、媒体Ｐと照射部３６との隙間Ｇを移動した透明ベルトを周回させずに巻き取る場合に比べて、装置寿命が長い（又は交換するまでの期間が長い）。また、本実施形態の照射装置３４によれば、前述の比較形態のように隙間Ｇに配置されている透過部材が照射部３６に対して移動しない場合に比べて、透明ベルトＢＴ１における隙間Ｇに配置されている部分に付着する付着物の量が少ないといえる。
【００５０】
以上のとおり、本発明について特定の実施形態を例として説明したが、本発明は前述した各実施形態に限定されるものではない。本発明の技術的範囲には、例えば、下記のような形態も含まれる。
【００５１】
第１実施形態の説明では、透明ベルトＢＴは、第１ロール５０から引き出され、第２ロール５６に巻き取られるとして説明した。そして、第１ロール５０は照射部３６よりも媒体Ｐの移動方向上流側に、第２ロール５６は照射部３６よりも媒体Ｐの移動方向下流側に配置されているとして説明した。しかしながら、第１ロール５０と第２ロール５６とは、互いに逆の位置に配置されていてもよい。この場合、第１ロール５０は第２回転体の一例、第２ロール５６は第１回転体の一例である。
【００５２】
各実施形態の説明では、各吐出部３２における媒体Ｐの移動方向下流側には、それぞれ各吐出部３２により吐出され媒体Ｐに着弾した液滴に光を照射する各照射装置３４が配置されているとして説明した（図１及び図２参照）。しかしながら、図３に示される変形例（第１変形例）の液滴吐出装置１０Ｂのように、複数の吐出部３２が吐出した各色の液滴に、すべての吐出部３２に対して媒体Ｐの移動方向下流側に配置されている１つの照射装置３４が光を照射して、画像を形成するようにしてもよい。また、第１変形例の照射装置３４は第１実施形態の照射装置３４（図１参照）であるが、第２実施形態の照射装置３４（図２参照）にしてもよい。また、吐出部３２を１個としてもよい（例えば、モノクロ機）。
【００５３】
また、各実施形態の説明では、各吐出部３２における媒体Ｐの移動方向下流側には、それぞれ各吐出部３２により吐出され媒体Ｐに着弾した液滴に光を照射する各照射装置３４が配置されているとして説明した（図１及び図２参照）。そして、各照射装置３４は、それぞれ各駆動源５８により駆動されるとして説明した。しかしながら、図４に示される変形例（第２変形例）の液滴吐出装置１０Ｃのように、第１ロール５０に巻かれている透明ベルトＢＴをすべての照射部３６の隙間Ｇを移動させて、第２ロール５６により巻き取るようにしてもよい。すなわち、第１ロール５０及び第２ロール５６の一方はすべての照射部３６のうち媒体Ｐの移動方向の最上流の照射部３６Ｋよりも上流側に配置され、他方は媒体Ｐの移動方向の最下流の照射部３６Ｙよりも下流側に配置され、第２ロール５６はすべての照射部３６により形成される隙間Ｇを移動した透明ベルトＢＴを巻き取るようにしてもよい。この場合、形成部３０Ｋと形成部３０Ｃとの間、形成部３０Ｃと形成部３０Ｍとの間、及び、形成部３０Ｍと形成部３０Ｙとの間に、透明ベルトＢＴの外周に付着した付着物を除去するブレードＢＬを配置してもよい。なお、第２変形例は、各吐出部３２に対して各カバー部３８が備えられている場合（例えば、駆動源５８が４つ）に比べて、部品点数が少ない（駆動源５８が１つ）。また、すべての吐出部３２のうちカラーの液滴を吐出する吐出部３２Ｙ、３２Ｍ、３２Ｃに対して照射装置３４を１個とし、黒（Ｋ）の液滴を吐出する吐出部３２Ｋに対して照射装置３４を１個としてもよい。
【００５４】
また、第２実施形態（図２参照）のように無端状の透明ベルトＢＴ１を周回させる思想と、第２変形異例（図４参照）のように１つの駆動源５８により透明ベルトＢＴを移動させる思想とを融合させて、図５に示される第３変形例のようにしてもよい。すなわち、駆動ロール５６Ａは、すべての照射部３６により形成される隙間Ｇを周回経路の一部として透明ベルトＢＴ１を周回させるようにしてもよい。なお、第４変形例は、各照射部３６に対して各透明ベルトＢＴ１を周回させる場合に比べて、部品点数が少ない。
【００５５】
また、各実施形態（図１及び図２参照）及び各変形例（図３、図４及び図５参照）の液滴吐出装置１０、１０Ｂ、１０Ｃ、１０Ｄは、吐出部３２がいわゆるラインヘッドである、ラインヘッド型のインクジェット方式の装置であるとして説明した。しかしながら、図６に示される第４変形例の液滴吐出装置１０Ｅのように、媒体Ｐの移動方向に対して交差する方向（図６中の矢印Ｂ方向）に形成部３０（吐出部３２及び照射装置３４）が往復移動して画像を形成する、いわゆるシリアルヘッド型のインクジェット方式の装置であってもよい。
【００５６】
また、各実施形態で使用されるインクは、一例として、水を含む溶媒と、それぞれのインクの色を発色する顔料（又は染料）と、を含んで構成されているとして説明した。しかしながら、各吐出部３２が自身に対して相対移動する媒体Ｐに液滴を吐出し、媒体Ｐに付着した液滴に光を照射して画像を形成するインクジェット方式の装置であれば、当該装置に使用されるインクは各実施形態と異なるインクであってもよい。例えば、インクは、いわゆる紫外線硬化型のインクであってもよい。なお、媒体Ｐに付着した液滴に照射する光は、使用されるインクに応じて選択（又は設定）すればよい。例えば、水性のインクで構成される液滴には赤外線を照射することが好ましく、紫外線硬化型のインクで構成される液滴には紫外線を照射することが好ましい。
【符号の説明】
【００５７】
１０          液滴吐出装置
１０Ａ        液滴吐出装置
１０Ｂ        液滴吐出装置
１０Ｃ        液滴吐出装置
１０Ｅ        液滴吐出装置
３２          吐出部
３２Ｃ        吐出部
３２Ｋ        吐出部
３２Ｍ        吐出部
３２Ｙ        吐出部
３４          照射装置
３４Ｃ        照射装置
３４Ｋ        照射装置
３４Ｍ        照射装置
３４Ｙ        照射装置
３６          照射部
３６Ｃ        照射部
３６Ｋ        照射部
３６Ｍ        照射部
３６Ｙ        照射部
５０          第１ロール（第１回転体の一例）
５６          第２ロール（第２回転体の一例）
５６Ａ        駆動ロール（周回部の一例）
Ａ            移動方向
Ｂ            移動方向
ＢＬ          ブレード（除去部の一例）
ＢＴ          透明ベルト（透過部材の一例）
ＢＴ１        透明ベルト（透過部材の一例）
Ｇ            隙間
Ｐ            媒体 
【図１】
2017226175.tif 000003
【図２】
2017226175.tif 000004
【図３】
2017226175.tif 000005
【図４】
2017226175.tif 000006
【図５】
2017226175.tif 000007
【図６】
2017226175.tif 000008
【手続補正書】
【提出日】平成29年3月23日(2017.3.23)
【手続補正１】
【補正対象書類名】明細書
【補正対象項目名】０００５
【補正方法】変更
【補正の内容】
【０００５】
第１態様に記載の照射装置は、液滴を吐出する吐出部に対し相対移動する媒体の移動方向における前記吐出部よりも下流側で前記媒体に隙間をあけて配置され、前記吐出部に吐出され前記媒体に着弾した液滴に光を照射する照射部と、帯状で、光を透過させ、前記照射部に対し前記隙間を移動する透過部材と、を備えている。
【手続補正２】
【補正対象書類名】明細書
【補正対象項目名】０００６
【補正方法】変更
【補正の内容】
【０００６】
第２態様に記載の照射装置は、第１態様に記載の照射装置であって、軸周りに回転可能とされ、外周に前記透過部材が巻かれた第１回転体と、軸周りに回転し、前記第１回転体を回転させて引き出された前記透過部材を巻き取る第２回転体と、を備えている。
【手続補正３】
【補正対象書類名】明細書
【補正対象項目名】０００７
【補正方法】変更
【補正の内容】
【０００７】
第３態様に記載の照射装置は、第２態様に記載の照射装置であって、前記照射部は、前記移動方向に沿って複数個配置されており、前記第１回転体及び前記第２回転体の一方は、すべての前記照射部のうち前記移動方向の最上流の照射部よりも上流側に配置され、前記第１回転体及び前記第２回転体の他方は、すべての前記照射部のうち前記移動方向の最下流の照射部よりも下流側に配置され、前記第２回転体は、すべての前記照射部により形成される前記隙間を移動した前記透過部材を巻き取る。  
【手続補正４】
【補正対象書類名】明細書
【補正対象項目名】０００８
【補正方法】変更
【補正の内容】
【０００８】
第４態様に記載の照射装置は、第１態様に記載の照射装置であって、前記透過部材は、無端状とされており、前記透過部材を周回させる周回部と、前記透過部材の外周に接触し、該外周に付着した付着物を除去する除去部と、を備えている。
【手続補正５】
【補正対象書類名】明細書
【補正対象項目名】０００９
【補正方法】変更
【補正の内容】
【０００９】
第５態様に記載の照射装置は、第４態様に記載の照射装置であって、前記照射部は、前記移動方向に沿って複数個配置されており、前記周回部は、すべての前記照射部により形成される前記隙間を周回経路の一部として前記透過部材を周回させる。
【手続補正６】
【補正対象書類名】明細書
【補正対象項目名】００１０
【補正方法】変更
【補正の内容】
【００１０】
第６態様に記載の液滴吐出装置は、第１態様から第４態様の何れか１態様に記載の照射装置と、前記照射部よりも移動方向上流側に配置され、前記媒体に液滴を吐出する吐出部と、を備えている。
【手続補正７】
【補正対象書類名】明細書
【補正対象項目名】００１１
【補正方法】変更
【補正の内容】
【００１１】
第１態様に記載の照射装置によれば、媒体と照射部との隙間に配置されている透過部材が照射部に対し移動しない場合に比べて、透過部材における隙間に配置されている部分に付着する付着物の量が少ない。
【手続補正８】
【補正対象書類名】明細書
【補正対象項目名】００１２
【補正方法】変更
【補正の内容】
【００１２】
第２態様に記載の照射装置によれば、透過部材における隙間に位置する部分が新しい。
【手続補正９】
【補正対象書類名】明細書
【補正対象項目名】００１３
【補正方法】変更
【補正の内容】
【００１３】
第３態様に記載の照射装置によれば、各照射部における媒体の移動方向上流側及び下流側に第１回転体及び第２回転体を配置している場合に比べて、部品点数が少ない。
【手続補正１０】
【補正対象書類名】明細書
【補正対象項目名】００１４
【補正方法】変更
【補正の内容】
【００１４】
第４態様に記載の照射装置によれば、媒体と照射部との隙間を移動した透過部材を周回させずに巻き取る場合に比べて、装置寿命が長い。
【手続補正１１】
【補正対象書類名】明細書
【補正対象項目名】００１５
【補正方法】変更
【補正の内容】
【００１５】
第５態様に記載の照射装置によれば、各照射部に対して各透過部材を周回させる場合に比べて、部品点数が少ない。
【手続補正１２】
【補正対象書類名】明細書
【補正対象項目名】００１６
【補正方法】変更
【補正の内容】
【００１６】
第６態様に記載の液滴吐出装置によれば、媒体と照射部との隙間に配置されている透過部材が移動しない場合に比べて、光の透過不良が抑制される。
【手続補正１３】
【補正対象書類名】明細書
【補正対象項目名】００１８
【補正方法】変更
【補正の内容】
【００１８】
本明細書において、「第１実施形態」、「第２実施形態」、「第１変形例」、「第４変形例」をそれぞれ「参考例」に、「第２変形例」を「第１実施形態」に、「第３変形例」を「第２実施形態」に、それぞれ読み替えるものとする。
≪概要≫
発明を実施するための形態（実施形態）について、２つの実施形態（第１及び第２実施形態）を例示して説明する。
【手続補正１４】
【補正対象書類名】特許請求の範囲
【補正対象項目名】全文
【補正方法】変更
【補正の内容】
【特許請求の範囲】
【請求項１】
液滴を吐出する吐出部に対し相対移動する媒体の移動方向における前記吐出部よりも下流側で前記媒体に隙間をあけて配置され、前記吐出部に吐出され前記媒体に着弾した液滴に光を照射する照射部と、
帯状で、光を透過させ、前記照射部に対し前記隙間を移動する透過部材と、
軸周りに回転可能とされ、外周に前記透過部材が巻かれた第１回転体と、
軸周りに回転し、前記第１回転体を回転させて引き出された前記透過部材を巻き取る第２回転体と、
を備え、
前記照射部は、前記移動方向に沿って複数個配置されており、
前記第１回転体及び前記第２回転体の一方は、すべての前記照射部のうち前記移動方向の最上流の照射部よりも上流側に配置され、
前記第１回転体及び前記第２回転体の他方は、すべての前記照射部のうち前記移動方向の最下流の照射部よりも下流側に配置され、
前記第２回転体は、すべての前記照射部により形成される前記隙間を移動した前記透過部材を巻き取る、
照射装置。
【請求項２】
液滴を吐出する吐出部に対し相対移動する媒体の移動方向における前記吐出部よりも下流側で前記媒体に隙間をあけて複数配置され、前記媒体に着弾した液滴に光を照射する照射部と、
帯状で無端状とされ、光を透過させ、前記照射部に対し前記隙間を移動する透過部材と、
すべての前記照射部により形成される前記隙間を周回経路の一部として前記透過部材を周回させる周回部と、
前記透過部材の外周に接触し、該外周に付着した付着物を除去する除去部と、
を備えた照射装置。
【請求項３】
請求項１又は２に記載の照射装置と、
前記照射部よりも前記移動方向の上流側に配置され、前記媒体に液滴を吐出する吐出部と、
を備えた液滴吐出装置。